(57)【要約】【課題】電力を消費する電工器具において、使用中暫く使用しない状態で自動に断電したり自動に給電したりできると共に、省エネ及び安全が守られる電工器具における便利で省エネの安全装置を提供する。【解決手段】一つのタイマー１１及び一つのハンディタイプ検知器１２からなり、また電力を消費する電工器具２における電源回路２１と電源メーンスイッチ２２の間に付加するものであり、該ハンディタイプ検知器１２によって電工器具２を使用状態で持続的に握る動作があるかどうかを検知し、また握る動作がないのを検知したらタイマー１１に一つの予定時間まで時間を計算するように動かせ、そして時間計算の過程において握るシグナルを検知したら直ちに計算プロセスを中断させ、握るシグナルを検知しなかったら直ちに電源を切らせ、電源が切ると再び握るシグナルを検知したら直ちに自動に電源を入れさせる。【選択図】図１
0003139449.tif 000002
【実用新案登録請求の範囲】
【請求項１】
電力を消費する電工器具における電源回路と電源メーンスイッチの間に付加する電工器具における便利で省エネの安全装置であって、一つのタイマー及び一つのハンディタイプ検知器からなり、該ハンディタイプ検知器によって電工器具を使用状態で持続的に握る動作があるかどうかを検知するとともに、握る動作がないのを検知したら、該タイマーに一つの予定時間まで時間を計算するように動かせ、そして時間計算の過程において握るシグナルを検知したら、直ちに計算プロセスを中断させ、握るシグナルを検知しなかったら、直ちに電源を切らせ、電源が切ると再び握るシグナルを検知したら、直ちに自動に電源を入れさせることにより、便利で省エネ及び安全防護との効果を収めることを特徴とする、電工器具における便利で省エネの安全装置。
【考案の詳細な説明】
【技術分野】
【０００１】
本考案は省エネ装置に係り、特に一種の電力を消費する電工器具において使用中に暫く使用しない状態で自動に電源が切ったり自動に入ったりでき、便利で省エネの安全装置に関する。
【背景技術】
【０００２】
生産ラインにおいて、はんだごて、はんだ吸取器、電気ドライバなど電工器具は必要不可欠の加工工具であり、それらの工作原理といえば、皆器材の中に降圧器或いは抵抗素子などが設けてあり、電源が通過して必要なエネが生じるように転換すると、はんだを溶けて電子素子を溶接するもの（はんだごて）、或いは吸取り装置に合わせて溶けたはんだを吸い取るもの（はんだ吸取器）、パワーを生じてネジを弛めたり締め付けたりするもの（電子ドライバ）など電工器具があるが、科学技術の進歩に従って其々改良した電工器具が次から次へと提出され、勿論一層生産ラインにおける作業効率の向上、品質の安定に役立つが、唯その基本としての電源からエネに転換する工作原理には変りが見えないため、其々のはんだごて、はんだ吸取器など電工器具によって数十ボルトのパワーが消費されることから考えれば、生産ラインにおける数量の膨大な電工器具から累積したパワーの消費は非常に大きくなるため、生産コストが高くなる主な原因になるほか、環境資源にも発電による汚染が激しくなって浪費になることを間接にもたらすのである。
【０００３】
一方、上記の工具では加熱または待機状態において火災、火傷など事故になり易いのも潜在的問題になる。
【０００４】
分析・研究から分かったのは、実務上生産ラインに立つ作業員は持続的にはんだごて或いははんだ吸取器など電工器具を使って作業を行うことではないため、加工を行っていない隙間もあるのに、はんだごて或いははんだ吸取器など電工器具をずっと電源オンにしたまま電力を消費する状態こそ明らかに浪費になる主な原因であり、しかしながら現有のはんだごて或いははんだ吸取器など電工器具には未だに自動断電の省エネ設計がなく、もしもはんだごてやはんだ吸取器など電力を消費する電工器具に自動断電で省エネの安全装置を加えたら、省エネとの目的が実現できるのである。
【考案の開示】
【考案が解決しようとする課題】
【０００５】
本考案は上記の問題点を解決した一種の電工器具における便利で省エネで安全な装置を提供することを課題とする。
【課題を解決するための手段】
【０００６】
上記課題を解決するため、本考案に係る電工器具における便利で省エネで安全な装置は、一つのタイマー及び一つのハンディタイプ検知器からなり、また電力を消費する電工器具における電源回路と電源メーンスイッチの間に付加するものであり、該電工器具のハンディタイプ検知器によって電工器具を使用状態で持続的に握る動作があるかどうかを検知し、また握る動作がないのを検知したらタイマーに一つの予定時間まで時間を計算するように動かせ、そして時間計算の過程において握るシグナルを検知したら直ちに計算プロセスを中断させ、握るシグナルを検知しなかったら直ちに電源を切らせ、電源が切ると再び握るシグナルを検知したら直ちに自動に電源を入れさせることにより、便利で省エネ及び安全防護との効果を収めるのである。
【考案の効果】
【０００７】
上記のように、本考案は電力を消費する電工器具において、使用中暫く使用しない状態で自動に断電したり自動に給電したりできる便利で省エネの効果が実現できるのである。
【考案を実施するための最良の形態】
【０００８】
図1の本考案の構造のブロック図を参照。該省エネ節電の安全装置（1）とは一つのタイマー（11）及び一つのハンディタイプ検知器（12）からなり、また電力を消費する電工器具（2）の電源回路（21）と電源メーンスイッチ（22）の間に付加してある。
【０００９】
図2の本考案の操作フローチャートを参照。電工器具（2）が動き出したら、同時に該電工器具のハンディタイプ検知器（12）を動かして、それは電気反応素子であってもよく、また人体を導体にして導体が中断したら即ち該電工器具（2）を握る人体は電工器具（2）を放すと、該電工器具のハンディタイプ検知器（12）からシグナルを生じてタイマー（11）を動かして一つの予定時間を計算し始め、例えば５分間、時間計算の過程において握るシグナルを検出したら時間の計算が中断になり、時間計算が終了すると同時に、握るシグナルを検出していない場合、断電動作が生じ、断電後、再び握るシグナルが検知されたら直ちに自動に電源をオンにするのである。
【図面の簡単な説明】
【００１０】
【図１】本考案における構造の組立ブロック図
【図２】本考案の実施例における操作のフローチャート
【符号の説明】
【００１１】
1         省エネ節電安全装置
11       タイマー
12       ハンディタイプ検知器
2         電工器具
21       電源回路
22       電源メーンスイッチ
【図１】
0003139449.tif 000003
【図２】
0003139449.tif 000004
【手続補正書】
【提出日】平成19年11月27日(2007.11.27)
【手続補正１】
【補正対象書類名】実用新案登録請求の範囲
【補正対象項目名】請求項１
【補正方法】変更
【補正の内容】
【請求項１】
電力を消費する電工器具（２）における電源回路（２１）と電源メーンスイッチ（２２）の間に付加する電工器具（２）における便利で省エネの安全装置（１）であって、一つのタイマー（１１）及び一つのハンディタイプ検知器（１２）からなり、前記ハンディタイプ検知器（１２）は、電気反応素子により、又は人体を導体にして構成されるとともに、該ハンディタイプ検知器（１２）を利用すると、電工器具（２）を手で握る動作の有無が前記電気反応素子又は前記導体から出力される電気信号の有無により検知され、手で握っていることを示す前記電気信号がないことが検知されると、前記タイマー（１１）は、作動して予め設定した時間を計測し、前記時間計測中に、前記電気信号を検知すると、時間計測ルーチンを中断する一方、前記電気信号を検知しなければ前記電源メーンスイッチ（２２）を切り、その後再度前記電気信号を検知すると電源メーンスイッチ（２２）を自動的に入れる構成により、利便性、省エネおよび安全防護の効果がもたらされることを特徴とする、電工器具における便利で省エネの安全装置。